(57)【要約】【課題】測定の精確率が高いファンの回転速度測定システムを提供すること。【解決手段】本発明に係るファンの回転速度測定システムは、制御ユニットと、発光ユニットと、サンプリング変調ユニットと、反射光感知ユニットと、復調ユニットと、を備える。前記発光ユニットは、ファンにおける回転している羽根に赤外線を出力し、前記反射光感知ユニットはファンの羽根により反射された赤外線を受け、且つ対応する感知信号を生成し、前記サンプリング変調ユニットは前記発光ユニットに接続され、且つ当該発光ユニットを所定のサンプリング周波数で発光させ、前記復調ユニットは前記感知信号を復調し、且つ復調した後の信号を前記制御ユニットに伝送する。【選択図】図２
2013137312.tif 000002
【特許請求の範囲】
【請求項１】
制御ユニットと、発光ユニットと、サンプリング変調ユニットと、反射光感知ユニットと、復調ユニットと、を備えるファン回転速度の測定システムであって、
前記発光ユニットはファンにおける回転している羽根に光を出力し、
前記反射光感知ユニットはファンの羽根により反射された光を受け、且つ対応する感知信号を生成し、
前記サンプリング変調ユニットは前記発光ユニットに接続され、且つ当該発光ユニットを所定のサンプリング周波数によって発光させ、
前記復調ユニットは前記感知信号を復調し、且つ復調した後の信号を前記制御ユニットに伝送することを特徴とするファンの回転速度測定システム。
【請求項２】
前記制御ユニットは第一給電ピンを備え、前記発光ユニットは発光ダイオードであり、前記第一給電ピンは前記発光ダイオードの正極に接続され、前記サンプリング変調ユニットはスイッチング素子及びクリスタル発振器を備え、前記発光ダイオードの負極は前記スイッチング素子を介して接地され、前記クリスタル発振器は前記スイッチング素子に方形波信号を出力して、該スイッチング素子をオンさせる又はオフさせることを特徴とする請求項１に記載のファンの回転速度測定システム。
【請求項３】
前記スイッチング素子のベース電極は前記クリスタル発振器に接続され、前記スイッチング素子のエミッタ電極は第一電気抵抗を介して接地され、前記スイッチング素子のコレクタ電極は前記発光ダイオードの負極に接続されることを特徴とする請求項１又は２に記載のファンの回転速度測定システム。
【請求項４】
前記制御ユニットは第二給電ピンを備え、前記反射光感知ユニットはフォトトランジスタを備え、前記フォトの一端は前記第二給電ピンに接続され、前記フォトトランジスタの他端は第二電気抵抗を介して接地されることを特徴とする請求項１〜３のいずれか１項に記載のファンの回転速度測定システム。
【請求項５】
前記復調ユニットの一端はフォトと第二電気抵抗との間に接続され、前記復調ユニットの他端は制御ユニットの入力ピンに接続されることを特徴とする請求項１〜４のいずれか１項に記載のファンの回転速度測定システム。
【発明の詳細な説明】
【技術分野】
【０００１】
本発明は、測定システムに関し、特にファンの回転速度を測定するためのシステムに関するものである。
【背景技術】
【０００２】
コンピュータにおける各電子部品の動作温度を測定する時に、コンピュータ筐体の中のファンの回転速度を同時に測定する必要がある。例えば、ビデオカードのファンの回転速度、電源ファンの回転速度等を測定する。従来技術においては、通常、ストロボを使用してファンの回転速度を測定している。しかし、このような測定方法は、外界赤外線からの干渉を受け易いので、測定して得た回転速度の不正確を招く恐れがある。
【発明の概要】
【発明が解決しようとする課題】
【０００３】
以上の問題点に鑑みて、本発明は、測定の精度が高いファンの回転速度測定システムを提供することを目的とする。
【課題を解決するための手段】
【０００４】
前記問題を解決するために、本発明に係るファン回転速度の測定システムは、制御ユニットと、発光ユニットと、サンプリング変調ユニットと、反射光感知ユニットと、復調ユニットと、を備える。前記発光ユニットは、ファンにおける回転している羽根に赤外線を出力し、前記反射光感知ユニットはファンの羽根により反射された赤外線を受け、且つ対応する感知信号を生成し、前記サンプリング変調ユニットは前記発光ユニットに接続され、且つ当該発光ユニットを所定のサンプリング周波数によって発光させ、前記復調ユニットは前記感知信号を復調し、且つ復調した後の信号を前記制御ユニットに伝送する。
【発明の効果】
【０００５】
従来の技術と異なり、本発明のファンの回転速度測定システムは、サンプリング変調ユニットを介して、発光ユニットをサンプリング周波数に基づいて発光させ、反射光感知ユニットは発光ユニットが発光する時のみ、反射光を感知して感知信号を生成する。また、本発明のファン回転速度の測定システムは、復調ユニットを介して受信した感知信号を復調し、且つ復調した後の信号を制御ユニットの入力ピンに伝送して、制御ユニットにより復調された後の信号に基づいて、ファンの回転速度を計算する。これにより、本発明の測定システムによって、外界赤外線の該反射光感知ユニットに対する妨害を避けることができるため、ファンの回転速度に対する測定の精度を向上させることができる。
【図面の簡単な説明】
【０００６】
【図１】本発明の第一実施形態に係るファンの回転速度測定システムの構成を示す図である。
【図２】図１に示すファンの回転速度測定システムの回路図である。
【図３】図１に示すファンの回転速度測定システムの信号のオシログラムである。
【発明を実施するための形態】
【０００７】
図１に示すように、本発明の実施形態に係るファンの回転速度測定システムは、制御ユニット１０と、発光ユニット２０と、サンプリング変調ユニット３０と、通信ユニット４０と、コントロールコンピュータ（ＰＣ）５０と、反射光感知ユニット６０と、復調ユニット７０と、を備える。制御ユニット１０は、発光ユニット２０、通信ユニット４０、反射光感知ユニット６０及び復調ユニット７０にそれぞれ接続されている。サンプリング変調ユニット３０は発光ユニット２０に接続され、コントロールコンピュータ５０は通信ユニット４０に接続される。
【０００８】
発光ユニット２０は、ファンの羽根に赤外光線を出力し、この時、ファンの羽根には光反射材料が設けられているため、赤外光線は反射光感知ユニット６０まで反射される。反射光感知ユニット６０は、反射された光を受けた後対応する信号を生成して、前記ファンの回転速度を計算する。
【０００９】
図２に示すように、制御ユニット１０は制御チップであり、且つ入力ピンｉｎ、出力ピンｏｕｔ、第一給電ピンＶ１及び第二給電ピンＶ２を備える。発光ユニット２０は発光ダイオードである。第一給電ピンＶ１は該発光ダイオードの正極に接続される。サンプリング変調ユニット３０は、クリスタル発振器（Ｃｒｙｓｔａｌ  Ｏｓｃｉｌｌａｔｏｒｓ）３１及びＮＰＮ型のスイッチング素子３２を備える。スイッチング素子３２のベース電極はクリスタル発振器３１に接続され、スイッチング素子３２のエミッタ電極は第一電気抵抗Ｒ１を介して接地され、スイッチング素子３２のコレクタ電極は該発光ダイオードの負極に接続される。
【００１０】
反射光感知ユニット６０は、フォトトランジスタ６１及び第二電気抵抗Ｒ２を備える。フォトトランジスタ６１の一端は第二給電ピンＶ２に接続され、フォトトランジスタ６１の他端は第二電気抵抗Ｒ２を介して接地される。
【００１１】
復調ユニット７０の一端はフォトトランジスタ６１と第二電気抵抗Ｒ２との間に接続され、復調ユニット７０の他端は前記入力ピンｉｎに接続される。通信ユニット４０は前記出力ピンｏｕｔに接続される。
【００１２】
図２及び図３に示すように、本発明のファン回転速度の測定システムを利用してファンの回転速度を測定する場合、先ず、第一給電ピンＶ１及び第二給電ピンＶ２に給電を開始して、クリスタル発振器３１に方形波信号（即ち、サンプリング周波数信号）を出力させる。この際、スイッチング素子３２は、該方形波信号が高レベルである時導通され、該方形波信号が低レベルである時遮断される。これに対応して、発光ユニット２０は、スイッチング素子３２が導通された時に発光し、スイッチング素子３２が遮断された時に消光する。これにより、反射光感知ユニット６０は、発光ユニット２０が発光する時のみ、反射光を感知する。
【００１３】
フォトトランジスタ６１は反射光を感知した時に導通し、フォトトランジスタ６１と第二電気抵抗Ｒ２との間の接続点は、高レベルの感知信号を生成し、且つ該感知信号を復調ユニット７０に伝送する。復調ユニット７０は、受信した感知信号を復調し、且つ復調した後の信号を制御ユニット１０の入力ピンｉｎに伝送する。制御ユニット１０は、復調された後の信号に基づいてファンの回転速度を計算して、回転信号を獲得する。また、制御ユニット１０は通信ユニット４０を介して、この回転信号をコントロールコンピュータ５０に伝送する。コントロールコンピュータ５０は該回転信号を記憶し、且つスクリーンによってファンの回転速度を表示する。
【００１４】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、言うまでもない。
【符号の説明】
【００１５】
１０          制御ユニット
２０          発光ユニット
３０          サンプリング変調ユニット
３１          クリスタル発振器
３２          スイッチング素子
４０          通信ユニット
５０          コントロールコンピュータ
６０          反射光感知ユニット
６１          フォトトランジスタ
７０          復調ユニット
【図１】
2013137312.tif 000003
【図２】
2013137312.tif 000004
【図３】
2013137312.tif 000005